(57)【要約】【課題】メモリ手段に格納された所望のデータファイルを簡単な操作により迅速に呼び出すことができ、しかも、メモリ手段の記憶容量不足よって新たなデータファイルを適正に格納できないという事態の発生が低減されるものとする。【解決手段】メモリ部１３に格納された通常レベルのデータファイルが最大不使用期間を越えるものとなったとき、それをごみ箱レベルのデータファイルに移行させ、メモリ部１３に格納されたごみ箱レベルのデータファイルが最大保管期間を越えるものとなったとき、それを焼却レベルのデータファイルに移行させ、メモリ部１３に格納された焼却レベルのデータファイルが最大保管期間を越えるものとなったとき、それを削除するファイル整理を行うファイル整理手段と、メモリ部１３における残記憶容量及びメモリ部１３におけるデータファイルの格納状況が画像表示部２２により表示される状態となす表示制御手段とを備える。【選択図】　　　　図１
2004118393.tif 000002
【特許請求の範囲】
【請求項１】
第１のレベル、第２のレベル及び第３のレベルのいずれかに仕分けされたデータファイルを格納するメモリ手段と、
該メモリ手段に格納されたデータファイルの夫々について、当該データファイルのレベルが上記第１、第２及び第３のレベルのうちのいずれであるかについての識別を行うファイルレベル識別手段と、
該ファイルレベル識別手段により識別されたレベルが上記第１のレベルであるとき、上記識別に供されたデータファイルについての直前不使用期間の検出を行い、また、上記レベル識別手段により識別されたレベルが上記第２または第３のレベルであるとき、上記識別に供されたデータファイルについての上記メモリ手段における保管期間の検出を行う期間検出手段と、
上記ファイルレベル識別手段により識別されたレベルが上記第１のレベルであって、上記期間検出手段により検出された直前不使用期間が上記第１のレベルに応じて設定された最大不使用期間を越えているとき、上記識別に供されたデータファイルを上記第２のレベルのデータファイルに移行させて上記メモリ手段に格納されるものとし、また、上記レベル識別手段により識別されたレベルが上記第２のレベルであって、上記期間検出手段により検出された保管期間が上記第２のレベルに応じて設定された最大保管期間を越えているとき、上記識別に供されたデータファイルを上記第３のレベルのデータファイルに移行させて上記メモリ手段に格納されるものとし、さらに、上記レベル識別手段により識別されたレベルが上記第３のレベルであって、上記期間検出手段により検出された保管期間が上記第３のレベルに応じて設定された最大保管期間を越えているとき、上記識別に供されたデータファイルを削除して、上記メモリ手段に格納されたデータファイルについての整理を行うファイル整理手段と、
該ファイル整理手段による整理が行われた後の上記メモリ手段における残記憶容量及び上記メモリ手段におけるデータファイルの格納状況を表示手段に表示させる制御を行う表示制御手段と、
を備えて構成されるデータファイル管理装置。
【請求項２】
第１のレベルのデータファイルを通常の呼出しにより使用に供されるべくメモリ手段に格納されるデータファイルとし、第２のレベルのデータファイルを第１の特別な呼出しにより使用に供されるべく上記メモリ手段に格納されるデータファイルとし、第３のレベルのデータファイルを第２の特別な呼出しにより使用に供されるべく上記メモリ手段に格納されるデータファイルとすることを特徴とする請求項１記載のデータファイル管理装置。
【請求項３】
表示制御手段が、表示手段に、メモリ手段における残記憶容量と上記メモリ手段に格納された第２のレベルのデータファイル及び第３のレベルのデータファイルの夫々についてのデータ量とを表示させることを特徴とする請求項１記載のデータファイル管理装置。
【請求項４】
ファイルレベル識別手段による識別、期間検出手段による検出、ファイル整理手段による整理、及び、表示制御手段による制御が、メモリ手段に格納されたデータファイルの全てについて順次一通り行われることを特徴とする請求項１記載のデータファイル管理装置。
【請求項５】
ファイルレベル識別手段による識別、期間検出手段による検出、ファイル整理手段による整理、及び、表示制御手段による制御がメモリ手段に格納されたデータファイルの全てについて順次一通り行われる状態が、入力操作部の操作により選択的にとられることを特徴とする請求項４記載のデータファイル管理装置。
【発明の詳細な説明】
【０００１】
【発明の属する技術分野】
本願の特許請求の範囲に記載された発明は、データファイルが格納されるメモリ手段を備えたもとで、メモリ手段に格納された複数のデータファイルについての管理整理を行うデータファイル管理装置に関する。
【０００２】
【従来の技術】
パーソナル・コンピュータ等の常用されるコンピュータには、種々のデータを記憶して格納するメモリ手段として、通常、ハードディスクと称されるディスク状記憶媒体が内蔵されたものとして備えられる。ハードディスクにあっては、それが有する記憶容量の範囲内において、それに対するデータの書込み及びそれからのデータの読出しを自在に行うことが可能とされる。
【０００３】
このようなコンピュータに内蔵されるハードディスクは、コンピュータ自体の発展に伴ってその記憶容量が増大してきており、数十ＧＢ（ギガバイト）を越える大容量のものも提供されている。記憶容量が大容量とされたハードディスクを内蔵したコンピュータにあっては、そのハードディスクに大量のデータファイルを保管することができるが、反面、ハードディスクが大容量であるがゆえの不都合も伴うことになる。
【０００４】
例えば、ハードディスクに保管されたデータファイルのうちの所望のものを呼び出すにあたっては、保管された大量のデータファイルの全部の中から所望のものを探し出すことになり、それゆえ、複雑な操作と比較的長い時間とが要される事態がまねかれる場合が生じる。ハードディスクから所望のデータファイルを呼び出すにあたって複雑な操作と比較的長い時間とが要されることは、コンピュータの使用者に苛立たしさを感じさせることになってしまう。
【０００５】
また、ハードディスクの記憶容量が大容量とされるほど、ハードディスクの記憶容量が不足してハードディスクにデータファイルが格納できなくなる状態となるまでに長い時間がかかることになり、それゆえ、コンピュータの使用者のハードディスクの残記憶容量に対する意識が薄れがちとなる。その結果、コンピュータの使用者が、ある時突然に、ハードディスクにデータファイルを格納しようとしても、ハードディスクの記憶容量不足よって、例えば、格納しようとしたデータファイルの一部しか格納できないという事態に遭遇することになってしまう。
【０００６】
このような際には、とりあえず、削除しても構わないと考えられるデータファイルをハードディスクから急遽削除して、ハードディスクに記憶容量における余裕を作り、あらためて格納しようとするデータファイルのハードディスクへの格納を行うことになる。しかしながら、格納しようとするデータファイルが、例えば、放送信号に関わるものである場合のように、リアルタイムで得られるものであるときには、ハードディスクに記憶容量における余裕を作ってあらためて格納するという手法をとることはできず、結局、例えば格納しようとしたデータファイルの一部しか格納できないことになってしまう。
【０００７】
そこで、こうした不都合を軽減すべく、ハードディスクに格納されるデータファイルのデータ量を低減させること、あるいは、予め不要と思われるデータファイルの処理を適宜行うこと等が、従来提案されている。その一例として、ハードディスクに格納された後一定期間処理されない状態にあるデータファイル、あるいは、使用者自身が削除処理を行ったデータファイルを、それにデータ圧縮を施し、圧縮データファイルとして保管するようになし、さらには、一定期間処理されない圧縮データファイルについて、完全な削除、引き続いての保管、別の場所への移動等の処理を使用者に選択させるものがある（例えば、特許文献１参照。）。特許文献１に記載されたものの場合には、ハードディスクの使用効率を向上させ、それとともに、不要ファイルの管理を容易にすることを目的としている。
【０００８】
【特許文献１】
特開平１１−２７２５２１号公報
【０００９】
【発明が解決しようとする課題】
ハードディスクにデータファイルを格納するにあたり、従来提案されているように、ハードディスクに格納された後一定期間処理されない状態にあるデータファイル、使用者による削除処理が施されたデータファイル等を圧縮データファイルとして保管するようになすこと、さらには、一定期間処理されない圧縮データファイルについて、削除、保管、移動等の処理を使用者に選択させること等は、ハードディスクの使用効率を向上させることには貢献すると考えられるが、ハードディスクに格納されたデータファイルの中から所望のものを探し出して呼び出すにあたっての使用者の操作を容易にするものではない。例えば、記憶容量が大容量とされたハードディスクに保管された大量のデータファイルのうちの所望のものを呼び出すにあたっては、保管された大量のデータファイルの全部の中から所望のものを探し出すことに変わりはなく、従って、複雑な操作と比較的長い時間とが要される場合が生じることになる。
【００１０】
斯かる点に鑑み、本願の特許請求の範囲に記載された発明は、データファイルが格納されるハードディスク等のメモリ手段を備え、そのメモリ手段に格納された複数のデータファイルを、それらの使用にあたって所望のものを比較的簡単で容易な操作により迅速に呼び出すことができ、しかも、メモリ手段に新たなデータファイルを格納しようとしてもメモリ手段の記憶容量不足よって適正に格納できないことになる事態の発生が低減されるように整理するデータファイル管理装置を提供する。
【００１１】
【課題を解決するための手段】
本願の特許請求の範囲における請求項１から請求項５までのいずれかに記載された発明に係るデータファイル管理装置は、第１のレベル、第２のレベル及び第３のレベルのいずれかに仕分けされたデータファイルを格納するメモリ手段と、メモリ手段に格納されたデータファイルの夫々について、そのレベルが第１、第２及び第３のレベルのうちのいずれであるかについての識別を行うファイルレベル識別手段と、ファイルレベル識別手段により識別されたレベルが第１のレベルであるとき、識別に供されたデータファイルについての直前不使用期間の検出を行い、また、レベル識別手段により識別されたレベルが第２または第３のレベルであるとき、識別に供されたデータファイルについてのメモリ手段における保管期間の検出を行う期間検出手段と、ファイルレベル識別手段により識別されたレベルが第１のレベルであって、期間検出手段により検出された直前不使用期間が第１のレベルに応じて設定された最大不使用期間を越えているとき、ファイルレベル識別手段による識別に供されたデータファイルを第２のレベルのデータファイルに移行させてメモリ手段に格納されるものとし、また、レベル識別手段により識別されたレベルが第２のレベルであって、期間検出手段により検出された保管期間が第２のレベルに応じて設定された最大保管期間を越えているとき、ファイルレベル識別手段による識別に供されたデータファイルを第３のレベルのデータファイルに移行させてメモリ手段に格納されるものとし、さらに、レベル識別手段により識別されたレベルが第３のレベルであって、期間検出手段により検出された保管期間が第３のレベルに応じて設定された最大保管期間を越えているとき、ファイルレベル識別手段による識別に供されたデータファイルを削除して、メモリ手段に格納されたデータファイルについての整理を行うファイル整理手段と、ファイル整理手段による整理が行われた後のメモリ手段における残記憶容量及びメモリ手段におけるデータファイルの格納状況を表示手段に表示させる制御を行う表示制御手段と、を備えて構成される。
【００１２】
本願の特許請求の範囲における請求項１から請求項５までのいずれかに記載された発明に係るデータファイル管理装置にあっては、例えば、請求項５に記載された発明に係るデータファイル管理装置のように、入力操作部の操作に応じて、ファイルレベル識別手段による識別、期間検出手段による検出、ファイル整理手段による整理、及び、表示制御手段による制御が、メモリ手段に格納されたデータファイルの全てについて順次一通り行われる状態がとられる。このような状態のもとで、ファイル整理手段による整理が以下のように行われる。
【００１３】
先ず、ファイルレベル識別手段による識別に供されたデータファイルが第１のレベルのデータファイルであって、期間検出手段により検出された直前不使用期間が第１のレベルに応じて設定された最大不使用期間を越えているときには、その第１のレベルのデータファイルを第２のレベルのデータファイルに移行させてメモリ手段に格納されるものとする。また、レベル識別手段による識別に供されたデータファイルが第２のレベルのデータファイルであって、期間検出手段により検出された保管期間が第２のレベルに応じて設定された最大保管期間を越えているときには、第２のレベルのデータファイルを第３のレベルのデータファイルに移行させてメモリ手段に格納されるものとする。さらに、レベル識別手段による識別に供されたデータファイルが第３のレベルのデータファイルであって、期間検出手段により検出された保管期間が第３のレベルに応じて設定された最大保管期間を越えているときには、第３のレベルのデータファイルを削除する。
【００１４】
そして、表示制御手段による制御のもとに、表示手段によって、ファイル整理手段による整理が行われた後のメモリ手段における残記憶容量及びメモリ手段におけるデータファイルの格納状況が表示される。
【００１５】
上述のようなファイル整理手段による整理が行われることにより、メモリ手段に格納されたデータファイルの内から所望のものを呼び出す際には、所望のデータファイルを探し出す対象が、通常、整理された第１のレベルのデータファイルとされ、特定の場合に、整理された第２もしくは第３のレベルのデータファイルとされる。このように、所望のデータファイルを探し出す対象が仕分けされることにより、所望のデータファイルを比較的簡単で容易な操作により迅速に呼び出すことができることになる。
【００１６】
また、上述のような表示制御手段による制御が行われることにより、表示手段によってメモリ手段における残記憶容量及びメモリ手段におけるデータファイルの格納状況が表示されて、使用者はそれによってメモリ手段の状況の把握についての意識が強められるとともにメモリ手段の状況を容易に把握できるので、メモリ手段に新たなデータファイルを格納しようとしてもメモリ手段の記憶容量不足よって適正に格納できないことになる事態の発生が低減されることになる。
【００１７】
【発明の実施の形態】
図１は、本願の特許請求の範囲における請求項１から請求項５までのいずれかに記載された発明に係るデータファイル管理装置の一例を示す。
【００１８】
図１においては、本願の特許請求の範囲における請求項１から請求項５までのいずれかに記載された発明に係るデータファイル管理装置の一例が、装置１１として示されている。
【００１９】
装置１１には、例えば、マイクロコンピュータが用いられて構成される動作制御部１２が備えられている。この動作制御部１２には、例えば、ハードディスクによって構成されるメモリ部１３、リードオンリーメモリ（ＲＯＭ）１４、例えば、キーボードを含んで構成される入力操作部１５等が連結されている。
【００２０】
動作制御部１２には、入力インターフェース部１６を通じて外部からの情報信号に基づく各種のデータＤＤが供給される。入力インターフェース部１６には、外部に配されたテレビジョン（ＴＶ）放送信号受信部１７、ディジタルビデオディスク（ＤＶＤ）再生機等の映像／音声信号送出部１８、ラジオ放送信号受信部１９、及び、コンパクト・ディスク（ＣＤ）再生機等の音声信号送出部２０からの、ＴＶ信号を形成する映像信号及び音声信号、あるいは、独立した映像信号及び音声信号が供給される。さらに、入力インターフェース部１６には、インターネット（ＩＮＴＥＲＮＥＴ）　通信網２１を通じた情報信号も供給される。
【００２１】
また、装置１１には、画像表示部２２、画像表示部２２に表示用映像信号を供給する映像信号処理部２３、音声出力部２４、及び、音声出力部２４に音声再生用音声信号を供給する音声信号処理部２５が備えられている。そして、ＴＶ放送信号受信部１７からのＴＶ信号を形成する映像信号及び映像／音声信号送出部１８からの映像信号は、映像信号処理部２３にも供給され、ＴＶ放送信号受信部１７からのＴＶ信号を形成する音声信号、及び、映像／音声信号送出部１８、ラジオ放送信号受信部１９及び音声信号送出部２０からの音声信号は、音声信号処理部２５にも供給される。さらに、映像信号処理部２３には、動作制御部１２から送出される映像信号ＳＶＤが供給され、音声信号処理部２５には、動作制御部１２から送出される音声信号ＳＡＤが供給される。
【００２２】
それにより、装置１１に設けられた画像表示部２２は、ＴＶ放送信号受信部１７からのＴＶ信号を形成する映像信号、映像／音声信号送出部１８からの映像信号、もしくは、動作制御部１２から送出される映像信号ＳＶＤに基づく画像を表示する。同様に、装置１１に設けられた音声出力部２４は、ＴＶ放送信号受信部１７からのＴＶ信号を形成する音声信号、映像／音声信号送出部１８、ラジオ放送信号受信部１９または音声信号送出部２０からの音声信号、もしくは、動作制御部１２から送出される音声信号ＳＡＤに基づく音声を再生する。
【００２３】
動作制御部１２は、実質的にその内部にファイルレベル識別手段、期間検出手段、ファイル整理手段、及び、表示制御手段を内蔵するものとされている。そして、動作制御部１２は、ＲＯＭ１４に格納されたプログラムを読み込み、そのプログラムに従った制御動作を行う。動作制御部１２は、入力操作部１５の操作に応じてその入力操作部１５から供給されるコマンドデータに応じて、入力インターフェース部１６を通じて供給されるデータＤＤに基づくデータファイルをメモリ部１３に供給して、メモリ部１３に記憶されて格納されるものとし、また、メモリ部１３に格納されたデータファイルをメモリ部１３から読み出して取り込む動作を行う。それにより、通常にあっては、複数のデータファイルがメモリ部１３に格納されて保管されている状態とされる。
【００２４】
メモリ部１３には、例えば、後述される通常レベルのデータファイル、ごみ箱レベルのデータファイル、焼却レベルのデータファイルが夫々格納されることになる、通常レベルファイル格納部、ごみ箱レベルファイル格納部及び焼却レベルファイル格納部が形成されている。これらの通常レベルファイル格納部、ごみ箱レベルファイル格納部及び焼却レベルファイル格納部の夫々は、メモリ部１３における記憶領域の一部を成すものである。
【００２５】
動作制御部１２からメモリ部１３に供給される新たなデータファイルは、先ず、通常レベルのデータファイルとして通常レベルファイル格納部に格納される。そして、通常レベルのデータファイルが、通常レベルファイル格納部に格納された状態で使用に供されない期間、即ち、不使用期間が、予め設定された最大不使用期間を越えたものとされると、ごみ箱レベルのデータファイルとして扱われ、さらに、ごみ箱レベルのデータファイルが、ごみ箱レベルファイル格納部に格納されて保管された期間、即ち、保管期間が、予め設定された最大保管期間を越えたものとされると、焼却レベルのデータファイルとして扱われる。
【００２６】
メモリ部１３に格納されたデータファイルのうちの所望のものが、使用に供されるべくメモリ部１３から呼び出されて動作制御部１２に取り込まれる場合、通常にあっては、通常レベルファイル格納部に格納された通常レベルのデータファイルのみが呼出し対象とされる。斯かる際には、入力操作部１５についての簡単な通常ファイル呼出し操作が行われる。そして、通常ファイル呼出し操作によっては所望のデータファイルが呼び出されない場合には、当該所望のデータファイルは、ごみ箱レベルファイル格納部に格納されたごみ箱レベルのデータファイル、あるいは、焼却レベルファイル格納部に格納された焼却レベルのデータファイルであることになり、その際には、入力操作部１５についての特別な特定ファイル呼出し操作が行われ、それによって、所望のデータファイルがメモリ部１３から呼び出される。
【００２７】
こうしたもとで、動作制御部１２は、入力操作部１５の操作に従って、データファイル整理動作状態を選択的にとり、データファイル整理動作状態においては、メモリ部１３に格納されたデータファイルについての整理を行う。その際、動作制御部１２は、データファイル整理動作状態のもとで行うメモリ部１３に格納されたデータファイルについての整理を以下のようにして進める。
【００２８】
先ず、ファイルレベル識別手段により、メモリ部１３における通常レベルファイル格納部、ごみ箱レベルファイル格納部及び焼却レベルファイル格納部のいずれかに格納されたデータファイルの一つについて、そのレベルが通常レベル、ごみ箱レベル及び焼却レベルのうちのいずれであるかを識別する。
【００２９】
続いて、期間検出手段により、ファイルレベル識別手段により識別されたレベルが通常レベルである場合には、ファイルレベル識別手段による識別に供された通常レベルのデータファイルについての直前不使用期間を検出し、また、レベル識別手段により識別されたレベルがごみ箱レベルもしくは焼却レベルである場合には、ファイルレベル識別手段による識別に供されたごみ箱レベルもしくは焼却レベルのデータファイルについてのメモリ部１３における保管期間を検出する。
【００３０】
次に、ファイル整理手段により、ファイルレベル識別手段による識別に供されたデータファイルが通常レベルのデータファイルであって、期間検出手段により検出された直前不使用期間が通常レベルに応じて設定された最大不使用期間を越えているとき、その通常レベルのデータファイルをごみ箱レベルのデータファイルに移行させて、メモリ部１３のごみ箱レベルファイル格納部に格納されるものとし、また、ファイルレベル識別手段による識別に供されたデータファイルがごみ箱レベルのデータファイルであって、期間検出手段により検出されたメモリ部１３における保管期間がごみ箱レベルに応じて設定された最大保管期間を越えているとき、ごみ箱レベルのデータファイルを焼却レベルのデータファイルに移行させて、メモリ部１３の焼却レベルファイル格納部に格納されるものとし、さらに、ファイルレベル識別手段による識別に供されたデータファイルが焼却レベルのデータファイルであって、期間検出手段により検出されたメモリ部１３における保管期間が焼却レベルに応じて設定された最大保管期間を越えているとき、その焼却レベルのデータファイルを削除して、メモリ部１３に格納されたデータファイルについての整理を行う。
【００３１】
その後、表示制御手段によって、ファイル整理手段による整理が行われた後のメモリ部１３における残記憶容量及びメモリ部１３におけるデータファイルの格納状況をあらわす映像信号ＳＶＤを、映像信号処理部２３に送出し、それにより、映像信号処理部２３から画像表示部２２に供給される、映像信号ＳＶＤに応じた表示用映像信号に基づいて、画像表示部２２により、ファイル整理手段による整理が行われた後のメモリ部１３における残記憶容量及びメモリ部１３におけるデータファイルの格納状況が画像表示される状態となす。
【００３２】
斯かる際において、画像表示部２２において、メモリ部１３における残記憶容とともに画像表示されるメモリ部１３におけるデータファイルの格納状況は、例えば、メモリ部１３におけるごみ箱レベルファイル格納部に格納されたごみ箱レベルのデータファイルについてのデータ量及びメモリ部１３における焼却レベルファイル格納部に格納された焼却レベルのデータファイルについてのデータ量とされる。
【００３３】
このようにして、メモリ部１３における通常レベルファイル格納部、ごみ箱レベルファイル格納部及び焼却レベルファイル格納部のいずれかに格納されたデータファイルの一つについての整理が終了すると、続いて、メモリ部１３における通常レベルファイル格納部、ごみ箱レベルファイル格納部及び焼却レベルファイル格納部のいずれかに格納されたデータファイルの次の一つについての整理を同様に行う。そして、それを繰り返していき、メモリ部１３における通常レベルファイル格納部、ごみ箱レベルファイル格納部及び焼却レベルファイル格納部に格納されたデータファイルの全てについての整理を一通り行い、全てのデータファイルについての整理が完了したとき、制御動作を終了する。
【００３４】
その結果、動作制御部１２によるデータファイル整理動作状態がとられる毎に、メモリ部１３に格納されたデータファイルについて、新たに仕分けされた通常レベルのデータファイル、ごみ箱レベルのデータファイル、及び、焼却レベルのデータファイルとされる更新が行われることになり、また、それとともに、画像表示部２２において、最新のメモリ部１３における残記憶容量及びメモリ部１３におけるデータファイルの格納状況が画像表示される。
【００３５】
従って、メモリ部１３に格納されたデータファイルの内から所望のものを呼び出す際には、所望のデータファイルを探し出す対象が、通常、動作制御部１２によるデータファイル整理動作状態のもとで仕分けされて、メモリ部１３における通常レベルファイル格納部に格納された通常レベルのデータファイルとされ、特定の場合に、動作制御部１２によるデータファイル整理動作状態のもとで仕分けされて、メモリ部１３におけるごみ箱レベルファイル格納部もしくは焼却レベルファイル格納部に格納されたごみ箱レベルのデータファイルもしくは焼却レベルのデータファイルとされる。このように、所望のデータファイルを探し出す対象が仕分けされることにより、所望のデータファイルを比較的簡単で容易な操作により迅速にメモリ部１３から呼び出すことができることになる。
【００３６】
また、動作制御部１２によるデータファイル整理動作状態がとられる毎に、画像表示部２２において、最新のメモリ部１３における残記憶容量及びメモリ部１３におけるデータファイルの格納状況が画像表示されることにより、装置１１の使用者が、それによってメモリ部１３の状況の把握についての意識が強められるとともにメモリ部１３の状況を容易に把握できることになるので、例えば、メモリ部１３に新たなデータファイルを格納しようとしてもメモリ部１３の記憶容量不足よって適正に格納できないことになる事態の発生が低減される。
【００３７】
図２は、図１に示される装置１１における動作制御部１２が、データファイル整理動作状態をとるもとで実行する制御プログラムの一例をあらわすフローチャートである。
【００３８】
図２に示されるフローチャートによりあらわされる制御プログラムにあっては、スタート後、ステップ３１において、データファイル整理動作状態とされたか否かを判断する。その結果、データファイル整理動作状態とされていなければ、ステップ３１での判断を繰り返し、データファイル整理動作状態とされていれば、ステップ３２において、変数Ｎを１にする初期設定を行って、ステップ３３に進む。
【００３９】
ステップ３３においては、メモリ部１３における通常レベルファイル格納部、ごみ箱レベルファイル格納部及び焼却レベルファイル格納部のいずれかに格納されたデータファイルのうちのＮ番目のものを把握できたか否かを判断する。その結果、Ｎ番目のものを把握できていない場合には、ステップ３３での判断を繰り返し、Ｎ番目のものを把握できた場合には、ステップ３４において、Ｎ番目のデータファイルのレベルが焼却レベルであるか否かを判断する。
【００４０】
ステップ３４での判断の結果、Ｎ番目のデータファイルのレベルが焼却レベルである場合には、ステップ３５において、Ｎ番目のデータファイルについてのメモリ部１３における保管期間が、焼却レベルに応じて予め設定された最大保管期間を越えているか否かを判断する。その結果、焼却レベルのデータファイルに関して予め設定された最大保管期間を越えている場合には、ステップ３６において、Ｎ番目のデータファイルを削除するファイル整理を行って、ステップ３７に進む。また、ステップ３５での判断の結果、Ｎ番目のデータファイルについてのメモリ部１３における保管期間が、焼却レベルのデータファイルに関して予め設定された最大保管期間を越えていない場合には、ステップ３５から直接にステップ３７に進む。
【００４１】
ステップ３７においては、メモリ部１３における残記憶容量をあらわす映像信号ＳＶＤを映像信号処理部２３に送出し、それにより、画像表示部２２によりメモリ部１３における残記憶容量が画像表示される状態となす。続いて、ステップ３８において、メモリ部１３におけるごみ箱レベルファイル格納部に格納されたごみ箱レベルのデータファイルについてのデータ量をあらわす映像信号ＳＶＤを映像信号処理部２３に送出し、それにより、画像表示部２２によりメモリ部１３におけるごみ箱レベルファイル格納部に格納されたごみ箱レベルのデータファイルについてのデータ量が画像表示される状態となす。さらに、ステップ３９において、メモリ部１３における焼却レベルファイル格納部に格納された焼却レベルのデータファイルについてのデータ量をあらわす映像信号ＳＶＤを映像信号処理部２３に送出し、それにより、画像表示部２２によりメモリ部１３における焼却レベルファイル格納部に格納された焼却レベルのデータファイルについてのデータ量が画像表示される状態となして、ステップ４０に進む。
【００４２】
ステップ４０においては、メモリ部１３における通常レベルファイル格納部、ごみ箱レベルファイル格納部及び焼却レベルファイル格納部に格納されたデータファイルの全てについてのファイル整理が完了したか否かを判断する。その結果、データファイルの全てについてのファイル整理が完了していない場合には、ステップ４１において、変数Ｎを１だけ増大させた後、ステップ３３に戻り、ステップ３３以降の各ステップを繰り返す。一方、ステップ４０での判断の結果、データファイルの全てについてのファイル整理が完了した場合には、プログラムを終了する。
【００４３】
また、上述のステップ３４での判断の結果、Ｎ番目のデータファイルのレベルが焼却レベルでない場合には、ステップ４２において、Ｎ番目のデータファイルのレベルがごみ箱レベルであるか否かを判断する。
【００４４】
ステップ４２での判断の結果、Ｎ番目のデータファイルのレベルがごみ箱レベルである場合には、ステップ４３において、Ｎ番目のデータファイルについてのメモリ部１３における保管期間が、ごみ箱レベルのデータファイルに関して予め設定された最大保管期間を越えているか否かを判断する。その結果、ごみ箱レベルに応じて予め設定された最大保管期間を越えている場合には、ステップ４４において、Ｎ番目のデータファイルを焼却レベルのデータファイルに移行させ、メモリ部１３における焼却レベルファイル格納部に格納されるものとするファイル整理を行って、ステップ３７に進む。また、ステップ４３での判断の結果、Ｎ番目のデータファイルについてのメモリ部１３における保管期間が、ごみ箱レベルのデータファイルに関して予め設定された最大保管期間を越えていない場合には、ステップ４３から直接にステップ３７に進む。
【００４５】
さらに、上述のステップ４２での判断の結果、Ｎ番目のデータファイルのレベルがごみ箱レベルでない場合には、ステップ４５において、Ｎ番目のデータファイルについての直前不使用期間が、通常レベルのデータファイルに関して予め設定された最大不使用期間を越えているか否かを判断する。その結果、通常レベルのデータファイルに関して予め設定された最大不使用期間を越えている場合には、ステップ４６において、Ｎ番目のデータファイルをごみ箱レベルのデータファイルに移行させ、メモリ部１３におけるごみ箱レベルファイル格納部に格納されるものとするファイル整理を行って、ステップ３７に進む。また、ステップ４５での判断の結果、Ｎ番目のデータファイルについての直前不使用期間が、通常レベルのデータファイルに関して予め設定された最大不使用期間を越えていない場合には、ステップ４５から直接にステップ３７に進む。
【００４６】
【発明の効果】
以上の説明から明らかな如く、本願の特許請求の範囲における請求項１から請求項５までのいずれかに記載された発明に係るデータファイル管理装置にあっては、例えば、入力操作部の操作に応じて、ファイルレベル識別手段による識別、期間検出手段による検出、ファイル整理手段による整理、及び、表示制御手段による制御が、メモリ手段に格納されたデータファイルの全てについて順次一通り行われる状態がとられる。そして、斯かる状態のもとでは、ファイル整理手段により、ファイルレベル識別手段による識別に供されたデータファイルが第１のレベルのデータファイルであって、期間検出手段により検出された直前不使用期間が第１のレベルに応じて設定された最大不使用期間を越えているときには、その第１のレベルのデータファイルを第２のレベルのデータファイルに移行させてメモリ手段に格納されるものとし、また、レベル識別手段による識別に供されたデータファイルが第２のレベルのデータファイルであって、期間検出手段により検出された保管期間が第２のレベルに応じて設定された最大保管期間を越えているときには、第２のレベルのデータファイルを第３のレベルのデータファイルに移行させてメモリ手段に格納されるものとし、さらに、レベル識別手段による識別に供されたデータファイルが第３のレベルのデータファイルであって、期間検出手段により検出された保管期間が第３のレベルに応じて設定された最大保管期間を越えているときには、第３のレベルのデータファイルを削除するファイル整理が行われるとともに、表示制御手段による制御のもとに、表示手段によって、ファイル整理手段による整理が行われた後のメモリ手段における残記憶容量及びメモリ手段におけるデータファイルの格納状況が表示される。
【００４７】
このようなファイル整理手段による整理が行われることにより、メモリ手段に格納されたデータファイルの内から所望のものを呼び出す際には、所望のデータファイルを探し出す対象が、通常、整理された第１のレベルのデータファイルとされ、特定の場合に、整理された第２もしくは第３のレベルのデータファイルとされて、所望のデータファイルを探し出す対象が仕分けされることになり、それゆえ、所望のデータファイルを比較的簡単で容易な操作により迅速に呼び出すことができることになる。
【００４８】
また、上述のような表示制御手段による制御が行われることにより、表示手段によってメモリ手段における残記憶容量及びメモリ手段におけるデータファイルの格納状況が表示されて、使用者がそれによってメモリ手段の状況の把握についての意識が強められるとともにメモリ手段の状況を容易に把握できることになるので、メモリ手段に新たなデータファイルを格納しようとしてもメモリ手段の記憶容量不足よって適正に格納できないことになる事態の発生が低減される。
【図面の簡単な説明】
【図１】本願の特許請求の範囲における請求項１から請求項５までのいずれかに記載された発明に係るデータファイル管理装置の一例を示すブロック構成図である。
【図２】図１に示される例における動作制御部が、データファイル整理動作状態をとるもとで実行する制御プログラムの一例をあらわすフローチャートである。
【符号の説明】
１１・・・装置（データファイル管理装置の一例）、　１２・・・動作制御部、　１３・・・メモリ部、　　１４・・・ＲＯＭ、　１５・・・入力操作部、　　１６・・・入力インターフェース部、　１７・・・ＴＶ放送信号受信部、　１８・・・映像／音声信号送出部、　１９・・・ラジオ放送信号受信部、　２０・・・音声信号送出部、　　２１・・・インターネット通信網、　２２・・・画像表示部、　　２３・・・映像信号処理部，　２４・・・音声出力部，　２５・・・音声信号処理部
【図１】
2004118393.tif 000003
【図２】
2004118393.tif 000004